(57)【要約】【課題】本発明は、照明手段への電力供給中にデータを送信する場合でも起動状態を維持して動作し得る。【解決手段】本発明は、カメラ付携帯電話機１において、充電モード時にデータ通信が開始された場合であっても、少なくとも当該データ通信時に最も電力を消費する送信動作期間ＭＶでストロボ１４に対する電力供給を一時的に中断することにより、ストロボ１４に対する充電用の電力供給と信号処理部３１及び送信部３５に対する送信動作用の電力供給とが同時に行われることを回避して電源部３２の電圧値が急激に低下することを防止することができ、かくしてストロボ１５への電力供給中にデータを送信する場合でも起動状態を維持して動作し得る。【選択図】        図６
2004166005.tif 000002
【特許請求の範囲】
【請求項１】
データを送受信してデータ通信を実行する通信手段と、
上記データ通信時に上記通信手段に動作用の電力を供給すると共に、撮像手段が撮像している撮像対象を照明する照明手段に照明用の電力を供給する電力供給手段と、
上記データ通信時に上記電力供給手段から上記照明手段へ電力を供給する場合、上記通信手段が少なくとも上記データを送信するための送信動作を行っている間は上記照明手段への上記電力の供給を中断するように上記電力供給手段を制御する制御手段と
を具えることを特徴とする携帯通信端末装置。
【請求項２】
上記照明手段はストロボであって、
上記制御手段は、上記データ通信時に上記電力供給手段から上記照明手段へ電力を供給する場合、上記通信手段が少なくとも上記データを送信するための送信動作を行っている間は上記ストロボの発光用に充電するための上記電力の供給を中断するように上記電力供給手段を制御する
ことを特徴とする請求項１に記載の携帯通信端末装置。
【請求項３】
上記電力供給手段による上記通信手段及び上記ストロボ以外の他の所定の回路ブロックに対する電力の供給状態を検知する検知手段と、
上記検知手段の検知結果に応じて、上記ストロボに上記電力の供給を行う電力供給時間を決定する決定手段と
を具えることを特徴とする請求項２に記載の携帯通信端末装置。
【請求項４】
上記制御手段は、
上記データ通信時、上記送信動作が行われている間は一時的に上記ストロボに対する上記電力の供給を中断し、当該送信動作が終了してから再び上記ストロボに対する上電力の供給を再開するようにして当該電力の供給を行う電力供給動作と、上記電力の供給を中断する電力供給中断動作とを上記ストロボが満充電されるまで繰り返すように上記電力供給手段を制御する
ことを特徴とする請求項３に記載の携帯通信端末装置。
【発明の詳細な説明】
【０００１】
【発明の属する技術分野】
本発明は携帯通信端末装置に関し、例えばカメラ付携帯電話機に適用して好適なものである。
【０００２】
【従来の技術】
近年、携帯電話機本体の所定部位にＣＣＤ（Ｃｈａｒｇｅ  Ｃｏｕｐｌｅｄ  Ｄｅｖｉｃｅ）カメラを備えたカメラ付携帯電話機が製品化されている（例えば、特許文献１参照）。
【０００３】
このようなカメラ付携帯電話機においては、ＣＣＤカメラによって撮像対象を撮像しながら、任意のタイミングでスチルカメラのように当該撮像対象を撮影できるようになされている。
【０００４】
【特許文献１】
特開２００１−３２０４６３  公報（図１）
【０００５】
【発明が解決しようとする課題】
ところでかかる構成のカメラ付携帯電話機においては、撮像対象を瞬間的に照明するストロボを取り付けることができ、スチルカメラのように用いる際に、ＣＣＤカメラによって撮像対象を撮影する瞬間にストロボを発光させることにより、室内や夜間等の比較的暗い場所であってもＣＣＤカメラの露出不足を防止して適切な露出で撮像対象を撮影できるようになされている。
【０００６】
実際上、このようなカメラ付携帯電話機においては、撮像対象を撮影する瞬間にストロボを発光させる場合、当該撮影に先立ってカメラ付携帯電話機のバッテリ等でなる電源部から電力を供給してストロボを満充電しておく必要がある。
【０００７】
ところがかかる構成のカメラ付携帯電話機においては、例えばストロボに電力を供給している際に着信があり、当該着信に応じてデータ通信が開始されると、ストロボを充電するための電力消費に加えて、送信信号を送信する際に比較的多くの電力が消費されることにより、電源部の電圧値が急激に低下して起動状態を維持できなくなる場合があるという問題があった。
【０００８】
本発明は以上の点を考慮してなされたもので、照明手段への電力供給中にデータを送信する場合でも起動状態を維持して動作し得る携帯通信端末装置を提案しようとするものである。
【０００９】
【課題を解決するための手段】
かかる課題を解決するため本発明においては、データを送受信してデータ通信を実行する通信手段と、データ通信時に通信手段に動作用の電力を供給すると共に、撮像手段が撮像している撮像対象を照明する照明手段に照明用の電力を供給する電力供給手段と、データ通信時に電力供給手段から照明手段へ電力を供給する場合、通信手段が少なくともデータを送信するための送信動作を行っている間は照明手段への電力の供給を中断するように電力供給手段を制御する制御手段とを設けるようにする。
【００１０】
従って、携帯通信端末装置では、照明手段に電力を供給している際にデータ通信が実行されている場合であっても、少なくとも当該データ通信時に通信手段において最も電力を消費する送信動作中に照明手段に対する電力供給を中断することにより、通信手段と照明手段とに同時に電力が供給されることを回避して、データ通信時に電力供給手段の電圧値が急激に低下することを防止することができる。
【００１１】
【発明の実施の形態】
以下図面について、本発明の一実施の形態を詳述する。
【００１２】
図１において、１は全体としてカメラ付携帯電話機を示し、第１の筐体（以下、これを上側筐体と呼ぶ）２と第２の筐体（以下、これを下側筐体と呼ぶ）３とがヒンジ部４を介して折り畳み可能に形成されている。
【００１３】
上側筐体２は、上側右部に送受信用のアンテナ５が引出し及び収縮可能な状態で取り付けられていると共に、上側中央部にスピーカ６が設けられており、当該スピーカ６を介して通話相手の音声や着信通知音等を出力する。
【００１４】
また、上側筐体２の正面には、スピーカ６の下側に例えばＬＣＤ（Ｌｉｑｕｉｄ  Ｃｒｙｓｔａｌ  Ｄｉｓｐｌａｙ）でなる表示部（以下、これを正面表示部と呼ぶ）７が設けられており、当該正面表示部７に各種機能に対応したメニュー画面や電波強度、電池残料、着信履歴、電子メール文及び簡易ホームページ等の各種情報を表示する。
【００１５】
一方、下側筐体３には、正面下部にマイクロホン９が設けられており、当該マイクロホン９によって通話時のユーザの音声を集音する。
【００１６】
また、下側筐体３には、正面中央部に「０」〜「９」の数字キー、発呼キー、終話キー、電子メールキー及びシャッターキー１０Ａ等の複数の操作キーと、回動操作及び押下操作可能なジョグダイヤルとによって構成された操作部１０が設けられており、操作部１０の操作に応じてメニュー画面上での項目選択や発呼処理、映像音声通信、データ通信等の種々の処理を実行し得るようになされている。
【００１７】
そして図２に示すように、下側筐体３の背面には、バッテリパック１１が装着されており、操作部１０の操作により電源の投入が指示されると、当該バッテリパック１１から内部の回路ブロックに対して電力を供給することにより、カメラ付携帯電話機１を起動して動作可能な状態にする。
【００１８】
一方、上側筐体２の背面には、上側に撮像手段としてのＣＣＤカメラ１２と、当該ＣＣＤカメラ１２の下側に例えばＬＣＤでなり、かつ正面表示部７に比して小型の表示部（以下、これを背面表示部と呼ぶ）１３とが設けられており、当該背面表示部１３に現在時刻や電波強度、着信履歴等の各種情報を表示する。
【００１９】
ここで正面表示部７及び背面表示部１３には、各種情報の他に、ＣＣＤカメラ１２によって撮像対象を撮像することにより得られた撮像動画像を表示し得るようになされている。
【００２０】
そしてカメラ付携帯電話機１においては、操作部１０を介して正面表示部７及び背面表示部１３の表示形態を選択し得るようになされており、当該表示形態の選択内容に応じて正面表示部７及び背面表示部１３の双方、或いはいずれか一方を選択的に起動させて各種情報や撮像動画像等を表示する。
【００２１】
ところでカメラ付携帯電話機１においては、ＣＣＤカメラ１２を介して撮像対象を撮像することにより得られた撮像動画像を正面表示部７等に表示している際、スチルカメラのように任意のタイミングでシャッターキー１０Ａが押下されると、撮像動画像を構成する複数の静止画像のうち当該シャッターキー１０Ａが押下されたタイミングで生成した１枚の静止画像を写真画像として得ることができ、これを正面表示部７等に表示する。
【００２２】
かかる構成に加えて、このカメラ付携帯電話機１の場合、上側筐体２の右側側面上部には、着脱自在なメモリスティック（ソニー（株）登録商標）を挿入するためのメモリスティックスロット１４が設けられている。
【００２３】
この場合、カメラ付携帯電話機１においては、メモリスティックの規格に準じた平板状の差込み部１５Ａと、当該差込み部１５Ａの一端に設けられたフラッシュライト１５Ｂとを有するストロボ１５が、当該差込み部１５Ａをメモリスロット１１に挿入することにより装着し得るようになされている。
【００２４】
またカメラ付携帯電話機１は、ストロボ１５を装着した状態で操作部１０の操作に応じてストロボ充電命令が与えれると、バッテリパック１１からストロボ１５に対して電力を供給することにより、当該ストロボ１５を動作可能な状態に満充電する。
【００２５】
そしてカメラ付携帯電話機１は、ストロボ１５を満充電した状態でＣＣＤカメラ１２により撮像対象を撮像している際にシャッターキー１０Ａが押下されると、当該シャッターキー１０Ａが押下されたタイミングでストロボ１５を発光させることができ、これにより夜間や室内等の比較的暗い場所であってもＣＣＤカメラ１２の露出不足を防止して適切な露出で撮像対象を撮影し得るようになされている。
【００２６】
実際上、図３に示すように、カメラ付携帯電話機１においては、制御部３０に正面表示部７、背面表示部１３、操作部１０、信号処理部３１、ＣＣＤカメラ１２、電源部３２、外部インターフェイス３３が接続されており、当該信号処理部３１には受信部３４、送信部３５、スピーカ６及びマイクロホン９が接続されていると共に、受信部３４及び送信部３５にアンテナ５が接続されている。
【００２７】
この場合、制御手段としての制御部３０は、図示しないＣＰＵ（Ｃｅｎｔｒａｌ  Ｐｒｏｃｅｓｓｉｎｇ  Ｕｎｉｔ）  、ＲＡＭ（Ｒａｎｄｏｍ  Ａｃｃｅｓｓ  Ｐｒｏｃｅｓｓｉｎｇ）、予め基本プログラム及び充電処理プログラム等の各種プログラムが格納されたＲＯＭ（Ｒｅａｄ  Ｏｎｌｙ  Ｍｅｍｏｒｙ）、フレーム周期カウンタ、電力供給カウンタ等から構成されている。
【００２８】
そして制御部３０は、操作部１０の操作に応じて与えれる各種命令に応じてＲＯＭから基本プログラム等の各種プログラムを適宜読み出してＲＡＭ上に展開することにより、これら各種プログラムに従ってカメラ付携帯電話機１全体を統括的に制御し、各種機能を実現するようになされている。
【００２９】
ここでカメラ付携帯電話機１は、基地局（図示せず）との間で例えばＴＤＭＡ（Ｔｉｍｅ  Ｄｉｖｉｓｉｏｎ  Ｍｕｌｔｉｐｌｅ  Ａｃｃｅｓｓ）  と呼ばれる時分割多元接続方式によって無線接続され、通話用の音声や電子メール、簡易ホームページ、画像及び音楽等の種々のデータを送受信する。
【００３０】
因みにこのＴＤＭＡ方式は、データ送受信用のフレームと呼ばれる伝送単位を所定時間幅のタイムスロットに分割し、カメラ付携帯電話機１等が自局に割り当てられたタイムスロットのタイミングのときに所定の周波数チャネルを使用して基地局（図示せず）との間でデータの送受を行うようにして、同一周波数チャネルで複数の通信（いわゆる多重通信）を実現して周波数を効率的に利用するようになされた方式である。
【００３１】
従って、カメラ付携帯電話機１においては、所定の基準クロックに基づいて動作するフレーム周期カウンタを基地局のフレーム周期に同期させ、当該フレーム周期カウンタの時間に従って動作することにより、確実にデータの送受を行うようになされている。
【００３２】
実際上、制御部３０は、例えば通話相手との間で音声通話を実行するデータ通信モード時、操作部１０を介して通話相手の電話番号や発呼要求等からなるデータ通信命令が与えられると、当該データ通信命令に従って基地局を介して通話相手の電話機と回線接続することにより通話状態を確保する。
【００３３】
この際、制御部３０は、マイクロホン９を介してユーザの音声を集音することにより得られた音声信号を信号処理部３１に送出し、当該信号処理部３１によってディジタル変換処理、誤り訂正処理及び変調処理を順次施すことにより送信データを得、これを送信部３５によって周波数変換処理及びアナログ変換処理を施して送信信号を生成し、所定電力に増幅した後アンテナ５を介して送信する。
【００３４】
また制御部３０は、アンテナ５を介して受信した受信信号を受信部３４で取り込み、当該受信部３４によって周波数変換処理及びディジタル変換処理を施すことにより受信データを得、これを信号処理部３１により復調処理、誤り検出処理及びアナログ変換処理を順次施し、その結果得られる音声信号をスピーカ６から出力する。
【００３５】
因みに制御部３０は、相手からの音声通話等の着信信号を待ち受ける待受モード時、基地局から送信された着信信号をアンテナ５で受信し、これを受信部３４を介して信号処理部３１に取り込むと、表示形態の選択内容に応じて正面表示部７及び又は背面表示部１３に例えば通話相手の電話番号等を表示させると共に、着信用の各種設定命令により選択的に組み合わされた着信通知設定に基づいてスピーカ６から着信音を出力したり、バイブレータ（図示せず）によりカメラ付携帯電話機１自体を振動させることにより、ユーザに対して着信を通知する。
【００３６】
これに加えて制御部３０は、ストロボ１５を動作可能な状態に満充電する充電モード時、外部インターフェイス３３を介してストロボ１５が装着され、この状態で操作部１０を介してストロボ充電命令が与えれると、充電処理プログラムに従って、外部インターフェイス３３を介して電源部３２からストロボ１５へ発光用に充電するための電力を供給し始め、当該ストロボ１５を満充電させ得るようになされている。
【００３７】
実際上、ストロボ１５は、図４に示すように、充電ＯＮ／ＯＦＦ回路４０と発光回路４１とが設けられており、当該充電ＯＮ／ＯＦＦ回路４０において、スイッチング制御用トランジスタ４１Ａのベースが外部インターフェイス３３を介して制御部３０の充電ポート（図示せず）に接続されると共に、当該スイッチング制御用トランジスタ４１Ａのエミッタが接地されている。
【００３８】
またストロボ１５は、充電ＯＮ／ＯＦＦ回路４０において、スイッチング制御用トランジスタ４０Ａのコレクタが増幅用トランジスタ４０Ｂのベースに接続されており、当該増幅用トランジスタ４０Ｂのコレクタが発光回路４１に接続されていると共に、エミッタが外部インターフェイス３３を介して電源部３２に接続されている。
【００３９】
これにより制御部３０は、操作部１０を介してストロボ充電命令が与えられると、充電ポートを介してスイッチング制御用トランジスタ４０Ａをオン状態とする。
【００４０】
充電ＯＮ／ＯＦＦ回路４０は、スイッチング制御用トランジスタ４０Ａがオン状態になると、増幅用トランジスタ４０Ｂにおいて電源部３２から与えられる電流を増幅し、これを発光回路４１に供給する。
【００４１】
発光回路４１は、増幅用トランジスタ４０Ｂで増幅された電流がフラッシュライト１５Ｂの発光に用いる充電コンデンサ（図示せず）へ供給されて高容量の電荷を蓄積することにより、当該充電コンデンサを充電する。
【００４２】
そして発光回路４１は、充電コンデンサを満充電まで充電すると、これを知らせる充電完了信号Ｄ１を生成し、これを外部インターフェイス３３を介して制御部３０へ出力する。
【００４３】
これにより制御部３０は、充電完了信号Ｄ１に基づいて、電力供給手段としての電源部３２からストロボ１５への電力供給を終了させると共に、当該ストロボ１５が満充電したことを正面表示部７等を介してユーザに通知する。
【００４４】
その後、制御部３０は、シャッターキー１０Ａが押下されると発光信号Ｄ２を生成し、これを外部インターフェイス３３を介して発光回路４１に出力することにより当該発光回路４１の充電コンデンサに蓄積していた電荷によってフラッシュライト１５Ｂを瞬間的に発光させる。
【００４５】
かかる構成に加えてカメラ付携帯電話機１においては、充電モード時に着信に応じて回線が接続され、データ通信が開始されると、ストロボ１５に対する電力供給動作と電力供給中断動作とを所定のタイミングで周期的に繰り返す間欠充電処理を実行する。
【００４６】
ここで１回の電力供給動作によりストロボ１５に対して電力を供給し続ける時間（以下、これを電力供給時間と呼ぶ）としては、例えば１９３  ［ＣＬＫ］  、３１２  ［ＣＬＫ］  、４１２  ［ＣＬＫ］  及び４３９  ［ＣＬＫ］  の４種類のクロック時間が設定されており、正面表示部７及び背面表示部１３の表示形態の選択状況（すなわち正面表示部７及び背面表示部１３の動作状況）に応じて選択される。
【００４７】
実際には、図５に示すように、例えば正面表示部７及び背面表示部１３を共に動作させるような表示形態ＬＦに対しては、各種情報等を表示するときの電力消費が最も多いため最も短い１９３  ［ＣＬＫ］  （例えば基準クロックの周波数が３２．７６８［ＫＨｚ］  の場合、５．８８９［ｍｓｅｃ］に相当）の電力供給時間ＰＴを対応付けている。
【００４８】
また背面表示部１３に比して消費電力が大きい正面表示部７のみを動作させる表示形態ＬＦに対しては、３１２  ［ＣＬＫ］  （基準クロックの周波数が３２．７６８［ＫＨｚ］  の場合、９．５２１［ｍｓｅｃ］に相当）の電力供給時間ＰＴを対応付けている。
【００４９】
さらに正面表示部７に比して消費電力が少ない背面表示部１３のみを動作させる表示形態ＬＦに対しては、４１２  ［ＣＬＫ］  （基準クロックの周波数が３２．７６８［ＫＨｚ］  の場合、１２．５７３［ｍｓｅｃ］に相当）の電力供給時間ＰＴを対応付けている。
【００５０】
これに加えて正面表示部７及び背面表示部１３の動作を共に停止させる表示形態ＬＦに対しては、各種情報等の表示に電力を消費しないことにより最も長い４３９  ［ＣＬＫ］  （基準クロックの周波数が３２．７６８［ＫＨｚ］  の場合、１３．４［ｍｓｅｃ］に相当）の電力供給時間ＰＴを対応付けている。
【００５１】
そして制御部３０は、内部のＲＯＭに正面表示部７及び背面表示部１３の表示形態ＬＦと電力供給時間ＰＴとを対応付けて生成された電力供給時間テーブルＴ１００を格納している。
【００５２】
従って制御部３０は、充電モード時、正面表示部７及び背面表示部１３の動作状況に応じて表示形態ＬＦを判断し、電力供給時間テーブルＴ１００から、その判断した表示形態ＬＦに対応する電力供給時間ＰＴを選択することにより、当該選択した電力供給時間ＰＴで電力供給動作を実行してストロボ１５に電力を供給する。
【００５３】
そして制御部３０は、このようにして選択した電力供給時間ＰＴで電力供給動作を実行しても、１回の電力供給動作ではストロボ１５を満充電できなければ、当該電力供給動作を電力供給中断動作を介在させて周期的に繰り返すことによりストロボ１５を満充電する。
【００５４】
次に、このような電力供給動作のタイミングについて図６（ａ）〜（ｅ）を用いて以下に説明する。
【００５５】
ここでカメラ付携帯電話機１においては回線が接続され、データ通信が開始されると、基地局と同期したフレーム周期カウンタの時間に基づいて、図６（ａ）に示すように、基地局に向けて送信信号を送信する送信スロット期間Ｔと、基地局から送信される送信信号に含まれる自局用の受信信号を受信する受信スロット期間Ｒと、アイドル状態として周辺基地局との間の電波の受信レベルを測定するアイドルスロット期間Ｉとを周期的に繰り返し、当該送信スロット期間Ｔ、受信スロット期間Ｒ及びアイドルスロット期間Ｉのタイミングに合わせてデータの送受信の動作を行う。因みにこの実施の形態の場合、例えば２０［ｍｓｅｃ］を１周期とした３チャネルのタイムスロット構成で送信スロット期間Ｔを６．６［ｍｓｅｃ］とし、受信スロット期間Ｒ及びアイドルスロット期間Ｉを合わせた期間を１３．４［ｍｓｅｃ］とした。
【００５６】
実際上、制御部３０は、フレーム周期カウンタの時間に基づき、このようなタイムスロットのタイミングに応じて、通信手段としての信号処理部３１、受信部３４及び送信部３５をそれぞれ動作させることにより基地局との間でデータの送受を行っている。
【００５７】
そして制御部３０は、かかるデータの送受のうちアンテナ５を介して基地局にデータを送信する場合、送信スロット期間Ｔのタイミングに基づいて電源部３２から信号処理部３１及び送信部３５に対して動作用の電力を供給するものの、当該信号処理部３１及び送信部３５を電力の供給開始から安定的に動作させるまでには所定時間を要するため、図６（ｂ）に示すように、当該信号処理部３１及び送信部３５に対して送信スロット期間Ｔの開始タイミングに先立って電力を供給し始める。
【００５８】
これにより制御部３０は、図６（ｃ）に示すように、信号処理部３１において電源部３２からの電力の供給により動作が安定すると実際に送信データを生成し始め、この結果、送信部３５において送信スロット期間Ｔの開始タイミングより約数十  ［μｓｅｃ］先立って送信信号を生成する。
【００５９】
そして送信部３５は、図６（ｄ）に示すように、送信スロット期間Ｔの開始タイミングより約数十  ［μｓｅｃ］先立って送信信号をアンテナ５を介して送信し始めることにより、実際に送信スロット期間Ｔの開始タイミングのときにアンテナ５から安定した状態の送信信号を基地局へ送信する。
【００６０】
また送信部３５は、図６（ｃ）に示すように、送信スロット期間Ｔの終了タイミングに先立って、信号処理部３１において生成した送信データを基に送信信号を生成し終えることにより、図６（ｄ）に示すように、送信スロット期間Ｔの終了タイミングに先立って送信信号をアンテナ５から送信し終えることができ、かくして送信スロット期間Ｔ内に送信信号を基地局へ確実に送信し終えるようになされている。
【００６１】
このようにして信号処理部３１及び送信部３５では、送信スロット期間Ｔのタイミングに応じて送信信号を送信する動作（以下、これを送信動作と呼ぶ）を行うようになされている。
【００６２】
因みに信号処理部３１及び受信部３４でも、受信スロット期間Ｒ及びアイドルスロット期間Ｉの開始タイミングに先立って電源部３２から電力を供給し始めることにより、受信スロット期間Ｒのタイミングに応じて動作を安定させたうえで基地局から受信信号を受信するための動作（以下、これを受信動作と呼ぶ）を行うと共に、アイドルスロット期間Ｉのタイミングに応じて動作を安定させたうえで周辺基地局の受信レベルを測定するための動作（以下、これをアイドル動作と呼ぶ）を行うようになされている。
【００６３】
ここでカメラ付携帯電話機１においては、データ通信を行っている際、信号処理部３１の動作が安定し、実際に送信データを生成し始めた時点（図６（ｃ））から、送信部３５において生成した送信信号をアンテナ５を介して実際に送信し終えた時点（図６（ｄ））までの間（以下、これを送信動作期間と呼ぶ）ＭＴ（図６（ａ））で最も電力を消費する。
【００６４】
従って図６（ｅ）に示すように、制御部３０は、充電モード時にデータ通信が行われると、送信動作期間ＭＴにストロボ１５に対する電力の供給を一時的に中断する電力供給中断動作を実行することにより、信号処理部３１及び送信部３５に対する電力の供給とストロボ１５に対する電力の供給とが同時に行われることを回避し得、これにより電源部３２の急激な電力消費を防止している。
【００６５】
また制御部３０は、送信動作期間ＭＴの終了タイミングに到達すると、再びストロボ１５に対する電力の供給を再開し、電力供給時間テーブルＴ１００を用いて選択した電力供給時間ＰＴに到達するまで当該ストロボ１５に対して電力を供給する。
【００６６】
制御部３０は、例えば背面表示部１３のみを動作させている場合、図６（ｅ）に示すように、基準クロックに基づいて電力供給カウンタ（図示せず）の時間が、送信動作期間ＭＴの終了タイミングから４１２  ［ＣＬＫ］  （１２．５７３［ｍｓｅｃ］）に到達するまでの間、ストロボ１５に対する電力の供給を継続する。
【００６７】
これにより制御部３０は、送信動作期間ＭＴに比して電力の消費が少ない受信動作の期間（以下、これを受信動作期間と呼ぶ）及びアイドル動作の期間（以下、これをアイドル動作期間と呼ぶ）内においてのみストロボ１５に対して電力を供給することができ、電源部３２の急激な電力消費を生じさせずにデータ通信を維持し得るようになされている。
【００６８】
因みに制御部３０は、背面表示部１３のみを動作させている場合、電力供給時間ＰＴ（１２．５７３［ｍｓｅｃ］）が受信動作期間及びアイドル動作期間を合わせた期間（以下、これを送信動作停止期間と呼ぶ）ＳＴ（この場合、１３．４［ｍｓｅｃ］）に比して短いことにより、当該電力供給時間ＰＴに到達した後に再び次の送信動作期間ＭＴが開始されるまでの空き期間ＶＴ（この場合、１３．４［ｍｓｅｃ］−１２．５７３［ｍｓｅｃ］＝０．８２７［ｍｓｅｃ］の間）を得、当該空き期間ＶＴにより送信動作停止期間ＳＴにおける電力の消費を低減している。
【００６９】
このようにしてカメラ付携帯電話機１は、充電モード時にデータ通信が行われても信号処理部３１及び送信部３５において最も電力の消費が大きい送信動作期間ＭＴでストロボ１５に対する電力供給を一時的に中断し、当該送信動作期間ＭＴが終了した後に送信動作停止期間ＳＴ内で所定の電力供給時間ＰＴだけストロボ１５に対して再び電力供給を再開する間欠的な充電動作をストロボ１５が満充電されるまで繰り返す。
【００７０】
これによりカメラ付携帯電話機１は、充電モード時に着信に応じてデータ通信が開始された場合であっても、ストロボ１５に対する電力供給を完全に停止させることなく、当該データ通信を維持した状態でストロボ１５を満充電させ得るようになされている。
【００７１】
次に上述したカメラ付携帯電話機１における充電処理手順について図６に示すフローチャートを用いて以下に説明する。
【００７２】
実際上、制御部３０は、カメラ付携帯電話機１が起動すると、ルーチンＲＴ１の開始ステップから入ってステップＳＰ１に移る。
【００７３】
ステップＳＰ１において制御部３０は、ストロボ１５が装着された状態で操作部１０を介してストロボ充電命令が与えられることを待ち受け、当該ストロボ１５が装着された状態で操作部１０を介してストロボ充電命令が与えられると、このとき制御部３０は、次のステップＳＰ２へ移る。
【００７４】
ステップＳＰ２において制御部３０は、電源部３２からストロボ１５に対して電力の供給を開始し、次のステップＳＰ３へ移る。
【００７５】
ステップＳＰ３において制御部３０は、基地局から送信された音声通話等の着信信号に応じて通話相手との間で回線が接続されたか否かを判断する。
【００７６】
ステップＳＰ３で否定結果が得られると、このことは基地局からの着信信号に基づいて回線が接続されていないこと、すなわち着信がないことを表しており、このとき制御部３０は、次のステップＳＰ４へ移る。
【００７７】
ステップＳＰ４において制御部３０は、ストロボ１５が満充電したか否かを判断する。
【００７８】
ステップＳＰ４において否定結果が得られると、このことは未だストロボ１５が満充電していないこと、すなわちストロボ１５から制御部３０へ充電完了信号Ｄ１が与えられていないことを表しており、このとき制御部３０は、再びステップＳＰ３へ戻り上述した処理を繰り返す。
【００７９】
これに対してステップＳＰ４で肯定結果が得られると、このことはストロボ１５が満充電したこと、すなわちストロボ１５から制御部３０へ充電完了信号Ｄ１が与えられたことを表しており、このとき制御部３０は、再びステップＳＰ１へ戻りストロボ充電命令を待ち受ける。
【００８０】
一方、ステップＳＰ３で肯定結果が得られると、このことは着信信号に応じて通話相手との間で回線が接続されたこと、すなわち基地局との間で同期したフレーム周期カウンタの時間に基づいてデータの送受信動作を開始し始めたことを表しており、このとき制御部３０は、次のステップＳＰ５へ移る。
【００８１】
ステップＳＰ５において検知手段及び決定手段としての制御部３０は、電力供給時間テーブルＴ１００を用いて、正面表示部７及び背面表示部１３の動作状況に応じた電力供給時間ＰＴを決定し、次のステップＳＰ６へ移る。
【００８２】
ステップＳＰ６において制御部３０は、フレーム周期カウンタの時間に基づいて、送信動作期間ＭＴの開始タイミングに到達したか否かを判断する。
【００８３】
ステップＳＰ６で否定結果が得れると、このことはまだ送信動作期間ＭＴの開始タイミングに到達していないことを表しており、このとき制御部３０は、送信動作期間ＭＴの開始タイミングに到達するまでストロボ１５に対して電力を供給し続ける。
【００８４】
これに対してステップＳＰ６で肯定結果が得られると、このことは送信動作期間ＭＴの開始タイミングに到達したことを表しており、このとき制御部３０は、次のステップＳＰ７へ移る。
【００８５】
ステップＳＰ７において制御部３０は、ストロボ１５に対する電力供給を一時的に中断し、次のステップＳＰ８へ移る。
【００８６】
ステップＳＰ８において制御部３０は、ストロボ１５に対する電力の供給を中断したままフレーム周期カウンタの時間に基づいて、送信動作期間ＭＴの終了タイミングに到達するまで待ち受け、当該送信動作期間ＭＴの終了タイミングに到達すると、次のステップＳＰ９へ移る。
【００８７】
ステップＳＰ９において制御部３０は、再びストロボ１５に対して電力の供給を再開し、次のステップＳＰ１０へ移る。
【００８８】
ステップＳＰ１０において制御部３０は、電力供給カウンタの時間に基づいて、ステップＳＰ２で選択した電力供給時間ＰＴに到達するまで待ち受け、当該電力供給時間ＰＴに到達すると、次のステップＳＰ１１へ移る。
【００８９】
ステップＳＰ１１において制御部３０は、ストロボ１５に対する電力の供給を中断し、次のステップＳＰ１２へ移る。
【００９０】
ステップＳＰ１２において制御部３０は、ストロボ１５が満充電したか否かを判断する。
【００９１】
ステップＳＰ１２において否定結果が得られると、このことは未だストロボ１５が満充電していないこと、すなわちストロボ１５から制御部３０へ充電完了信号Ｄ１が与えられていないことを表しており、このとき制御部３０は、再びステップＳＰ８へ戻り、ストロボ１５が満充電されるまで上述したステップＳＰ８からステップＳＰ１２の間欠充電処理を繰り返す。
【００９２】
これに対してステップＳＰ１２で肯定結果が得られると、このことはストロボ１５が満充電したこと、すなわちストロボ１５から制御部３０へ充電完了信号Ｄ１が与えられたことを表しており、このとき制御部３０は、ストロボ１５に対する充電を終了し、ステップＳＰ１へ戻り再びストロボ充電命令が与えれるまで待ち受ける。
【００９３】
以上の構成において、カメラ付携帯電話機１では、充電モード時、着信信号の受信に応じて回線が接続され、データ通信が開始されると、ストロボ１５が満充電されるまで、送信動作期間ＭＴでストロボ１５に対する電力供給を一時的に中断し、当該送信動作期間ＭＴの終了タイミングから送信動作停止期間ＳＴ内で所定の電力供給時間ＰＴだけ再びストロボ１５に対して電力の供給を開始する間欠的な充電動作を繰り返す。
【００９４】
従ってカメラ付携帯電話機１では、ストロボ１５に対する充電用の電力供給と、信号処理部３１及び送信部３５に対する送信動作用の電力供給とが同時に行われることを回避することができ、かくして通信状態にあっても電源部３２の瞬間的な消費電力の増加を抑えることができる。
【００９５】
これによりカメラ付携帯電話機１では、ストロボ１５の充電と、データの送受信とを同時に行った場合に、電源部３２の瞬間的な消費電力の増加を抑えることにより当該電源部３２の電圧値が急激に低下することを防止して当該カメラ付携帯電話機１の起動状態を維持できる。
【００９６】
またカメラ付携帯電話機１では、充電モード時にデータ通信が行われていると、送信動作停止期間ＳＴ内でストロボ１５に対して電力の供給を行う間欠的な充電動作を繰り返すことにより、当該データ通信を維持した状態でストロボ１５を満充電し得、かくしてデータ通信中やデータ通信の終了直後に撮像対象を撮影するような場合であっても、当該撮影時にストロボ１５を発光させることができる。
【００９７】
さらにカメラ付携帯電話機１では、正面表示部７及び背面表示部１３の動作状況に応じて異なる電力供給時間ＰＴを選択することにより、ストロボ１５の充電中に著しく電源部３２の電力が消費することを極力抑えることができる。
【００９８】
以上の構成によれば、カメラ付携帯電話機１では、充電モード時にデータ通信が行われている場合であっても、少なくとも当該データ通信時に最も電力を消費する送信動作期間ＭＴでストロボ１５に対する電力供給を一時的に中断することにより、ストロボ１５に対する充電用の電力供給と、信号処理部３１及び送信部３５に対する送信動作用の電力供給とが同時に行われることを回避して電源部３２の電圧値が急激に低下することを防止することができ、かくしてストロボ１５への電力供給中にデータを送信する場合でも起動状態を維持して動作できる。
【００９９】
なお上述の実施の形態においては、電力供給時間テーブルＴ１００を用いて、正面表示部７及び背面表示部１３の表示形態ＬＦに応じて所定の電力供給時間ＰＴを決定するようにした場合について述べたが、本発明はこれに限らず、所定のテーブルを用いて、例えば受話音量やＣＣＤカメラ１２の起動状況等のように他の回路ブロックにおける電力の消費状態や、或いは電源部３２の電池残料等に応じて所定の電力供給時間ＰＴを決定するようにしても良く、また操作部１０を介してユーザが電力供給時間ＰＴを送信動作停止期間ＳＴ内で自由に決定できるようにしても良い。
【０１００】
また上述した実施の形態においては、受信動作期間及びアイドル動作期間を合わせた送信動作停止期間ＳＴ内において所定の電力供給時間ＰＴでストロボ１５に対する電力の供給を行うようにした場合について述べたが、本発明はこれに限らず、受信動作期間又はアイドル動作期間のいずれか一方の期間内において所定の電力供給時間ＰＴでストロボ１５に対する電力の供給を行うようにしても良い。
【０１０１】
さらに上述した実施の形態においては、電源部３２からの電力の供給に基づいて信号処理部３１及び送信部３５において安定して動作が行える送信動作期間ＭＴの開始タイミングからストロボ１５に対する電力供給を停止するようにした場合（図６（ｅ））について述べたが、本発明はこれに限らず、電源部３２から信号処理部３１及び送信部３５に電力を供給し始めた時点（図６（ｂ））からストロボ１５に対する電力供給を停止するようにしても良い。
【０１０２】
さらに上述した実施の形態においては、電力供給時間ＰＴに一定の電力値でストロボ１５に対して電力の供給を行い、当該ストロボ１５が満充電されるまで電力供給時間ＰＴの電力供給動作を所定回数繰り返すようにした場合について述べたが、本発明はこれに限らず、例えば電力供給時間ＰＴが短くなるに従ってストロボ１５に対して供給する電圧値を上げることにより、当該選択された電力供給時間ＰＴにかかわらず、当該電力供給動作を同じ回数繰り返し、当該ストロボ１５を満充電するようにしても良く、またストロボ１５に対して供給する電圧値をさらに上げることにより１回の電力供給動作によって当該ストロボ１５を満充電するようにしても良い。
【０１０３】
さらに上述した実施の形態においては、充電モード時に着信に応じて回線が接続され、データ通信が開始された場合に間欠的な充電動作を繰り返すようにした場合について述べたが、本発明はこれに限らず、データ通信中にストロボ充電命令が与えられた場合に間欠的な充電動作を繰り返すようにしても良い。
【０１０４】
さらに上述した実施の形態においては、データを送受信するようなデータ通信時に適用するようにした場合について述べたが、本発明はこれに限らず、例えば電子メールを送信するような場合のようにデータを送信するだけのデータ通信時に適用するようにしても良い。
【０１０５】
さらに上述した実施の形態においては、ＴＤＭＡ方式について適用するようにした場合について述べたが、本発明はこれに限らず、時分割方式であればこの他種々の通信方式を適用するようにしても良い。
【０１０６】
さらに上述した実施の形態においては、照明手段として、ストロボ１５を適用するようにした場合について述べたが、本発明はこれに限らず、例えばＬＥＤ（Ｌｉｇｈｔ  Ｅｍｉｔｔｉｎｇ  Ｄｉｏｄｅ）等でなる撮像用のライトを適用するようにして良く、この場合、音声と共に映像の通信を行う映像通信時に撮像用のライトを発光させている際に送信動作期間ＭＴで当該ライトに対する電力供給を一時的に中断する間欠的な動作を行うことにより上述と同様の効果を得ることができる。
【０１０７】
さらに上述した実施の形態においては、本発明を所定部位に予めＣＣＤカメラ１２を備えたカメラ付携帯電話機１に適用するようにた場合について述べたが、本発明はこれに限らず、ＣＣＤカメラを着脱自在に装着できる携帯電話機やＰＤＡ（Ｐｅｒｓｏｎａｌ  Ｄｉｇｉｔａｌ  Ａｓｓｉｓｔａｎｔｓ）  等この他種々の携帯通信端末装置に適用するようにしても良い。
【０１０８】
さらに上述した実施の形態においては、本発明をストロボ１５が着脱自在に装着できるカメラ付携帯電話機１に適用するようにた場合について述べたが、本発明はこれに限らず、予めストロボが内蔵されたカメラ付携帯電話機やカメラ付ＰＤＡ等この他種々の携帯通信端末装置に適用するようにしても良い。
【０１０９】
【発明の効果】
上述のように本発明によれば、照明手段に電力を供給している際にデータ通信が実行されている場合であっても、少なくとも当該データ通信時に通信手段において最も電力を消費する送信動作中に照明手段に対する電力供給を停止することにより、通信手段と照明手段とに同時に電力が供給されることを回避し、データ通信のときに電力供給手段の電圧値が急激に低下することを防止することができ、かくして照明手段への電力供給中にデータを送信する場合でも起動状態を維持して動作し得る携帯通信端末装置を実現できる。
【図面の簡単な説明】
【図１】カメラ付携帯電話機の外観構成を示す略線的斜視図である。
【図２】カメラ付携帯電話機及びストロボの外観構成を示す略線的斜視図である。
【図３】カメラ付携帯電話機の回路構成を示すブロック図である。
【図４】ストロボの回路構成を示すブロック図である。
【図５】電力供給時間テーブルの構成を示す略線図である。
【図６】送信動作期間とストロボに対する電力供給及び電力供給中断のタイミングとを示すタイミングチャートである。
【図７】充電処理手順を示すフローチャートである。
【符号の説明】
１……カメラ付携帯電話機、７……正面表示部、１０……操作部、１１……バッテリパック、１２……ＣＣＤカメラ、１３……背面表示部、１５……ストロボ、１５Ｂ……フラッシュタイト、３０……制御部、３１……信号処理部、３２……電源部、３３……外部インターフェイス、３４……受信部、３５……送信部。
【図１】
2004166005.tif 000003
【図２】
2004166005.tif 000004
【図３】
2004166005.tif 000005
【図４】
2004166005.tif 000006
【図５】
2004166005.tif 000007
【図６】
2004166005.tif 000008
【図７】
2004166005.tif 000009